(57)【要約】  燃料残量が所定値未満であることを直感的に認識させることができる車両の燃料残量警告装置を提供する。  燃料タンク１３の燃料残量を計測する燃料計６の出力に基づいて、燃料残量が所定値未満になったことを警告する車両の燃料残量警告装置において、エンジンＥの燃焼状態を変更する燃焼状態変更手段２を具備する。燃料残量が所定値未満になると、燃焼状態変更手段２によってエンジンＥの燃焼状態を変化させることで通常運転時と異なる振動を生じさせる残量警告制御を行う。乗員の操作に基づいて前記残量警告制御を所定時間の間停止する警告確認ボタン５を、エンジンＥを始動させるスタータスイッチと兼用させる。残量警告制御は所定間隔毎に周期的に行い、車両の走行に伴う燃料残量、燃料消費量、走行距離および経過時間等の変化に応じて所定間隔を変化させる。
2016047463.tif 000002
【特許請求の範囲】
【請求項１】
燃料タンク（１３）の燃料残量を計測する燃料計（６）の出力に基づいて、燃料残量が所定値未満になったことを警告する車両の燃料残量警告装置において、
エンジン（Ｅ）の燃焼状態を変更する燃焼状態変更手段（２）を具備し、
前記燃料残量が所定値未満になると、前記燃焼状態変更手段（２）によって前記エンジン（Ｅ）の燃焼状態を変化させることで通常運転時と異なる振動を生じさせる残量警告制御を行うことを特徴とする車両の燃料残量警告装置。
【請求項２】
乗員の操作に基づいて前記残量警告制御を所定時間の間停止する警告確認手段（５）を具備することを特徴とする請求項１に記載の車両の燃料残量警告装置。
【請求項３】
前記警告確認手段（５）は、車両に設けられた他の機器を操作する操作スイッチを兼用させることを特徴とする請求項２に記載の車両の燃料残量警告装置。
【請求項４】
前記操作スイッチは、前記エンジン（Ｅ）を始動させるスタータスイッチであることを特徴とする請求項３に記載の車両の燃料残量警告装置。
【請求項５】
前記残量警告制御は、所定間隔毎に周期的に行われることを特徴とする請求項１ないし４のいずれかに記載の車両の燃料残量警告装置。
【請求項６】
前記残量警告制御が、車両の走行に伴う燃料残量、燃料消費量、走行距離および経過時間等の変化に応じて前記所定間隔を変化させるように設定されていることを特徴とする請求項５に記載の車両の燃料残量警告装置。
【請求項７】
前記残量警告制御が、車両の走行に伴う燃料残量、燃料消費量、走行距離および経過時間等の変化に応じて振動の大きさを変化させるように設定されていることを特徴とする請求項５に記載の車両の燃料残量警告装置。
【請求項８】
前記残量警告制御が、前記エンジン（Ｅ）に燃料を供給するインジェクタ（１０）による燃料噴射量を変化させることで行われることを特徴とする請求項１ないし７のいずれかに記載の車両の燃料残量警告装置。
【請求項９】
前記燃料噴射量の変化が、１サイクル中に発生する噴射タイミングのうちの連続する所定回数の噴射を制限する噴射間引きにより実行され、
前記連続する所定回数を、前記エンジン（Ｅ）の気筒数に応じて増やすことを特徴とする請求項８に記載の車両の燃料残量警告装置。
【請求項１０】
前記連続する所定回数が、前記エンジン（Ｅ）の気筒数（Ｘ）÷２の算出式で算出される値以上の回数とされることを特徴とする請求項９に記載の車両の燃料残量警告装置。
【請求項１１】
前記残量警告制御が、前記エンジン（Ｅ）の点火装置（１１）の駆動態様を変化させることで行われることを特徴とする請求項１ないし７のいずれかに記載の車両の燃料残量警告装置。
【請求項１２】
前記残量警告制御が、前記エンジン（Ｅ）への吸気量制限により行われることを特徴とする請求項１ないし７のいずれかに記載の車両の燃料残量警告装置。
【請求項１３】
前記燃焼状態変更手段（２）が、前記エンジン（Ｅ）の燃焼状態を変化させることで車速制限制御をも行うように構成されており、
前記残量警告制御によって生じる振動が、前記車速制限制御によって生じる振動と異なることを特徴とする請求項１ないし１２のいずれかに記載の車両の燃料残量警告装置。
【請求項１４】
前記残量警告制御は、前記エンジン（Ｅ）の回転数が所定値未満の状態では行われないことを特徴とする請求項１ないし１３のいずれかに記載の車両の燃料残量警告装置。
【請求項１５】
前記残量警告制御は、車両の速度が所定値未満の状態では行われないことを特徴とする請求項１ないし１３のいずれかに記載の車両の燃料残量警告装置。
【請求項１６】
前記残量警告制御の実行履歴を前記エンジン（Ｅ）の停止後も維持するメモリ（４）を備え、
前記エンジン（Ｅ）の再始動時に前記燃料残量の増加がない場合は、前記実行履歴に基づいて、前記エンジン（Ｅ）の停止時から前記残量警告制御を再開することを特徴とする請求項１ないし１５のいずれかに記載の車両の燃料残量警告装置。
【発明の詳細な説明】
【技術分野】
【０００１】
本発明は、車両の燃料残量警告装置に係り、特に、燃料残量が所定値未満になったことを警告する車両の燃料残量警告装置に関する。
【背景技術】
【０００２】
従来から、車両には燃料タンク内の燃料残量を表示する燃料計が設けられており、燃料残量が所定値未満になったときにインジケータ等で警告する構造が知られている。【０００３】
特許文献１には、コスト上昇の抑制を考慮した燃料残量警告装置が開示されている。
【先行技術文献】
【特許文献】
【０００４】
【特許文献１】特開２０１０−３２２７９号公報
【発明の概要】
【発明が解決しようとする課題】
【０００５】
しかしながら、車種によっては、コスト等の関係からインジケータ（光源）を設けられないものもあり、光源を用いずとも運転者に警告を行うことが望まれていた。また、光源を用いた場合でも、さらに直感的に運転者へ警告を行うことが望まれている。【０００６】
本発明の目的は、上記従来技術の課題を解決し、燃料残量が所定値未満であることを直感的に認識させることができる車両の燃料残量警告装置を提供することにある。
【課題を解決するための手段】
【０００７】
前記目的を達成するために、本発明は、燃料タンク（１３）の燃料残量を計測する燃料計（６）の出力に基づいて、燃料残量が所定値未満になったことを警告する車両の燃料残量警告装置において、エンジン（Ｅ）の燃焼状態を変更する燃焼状態変更手段（２）を具備し、前記燃料残量が所定値未満になると、前記燃焼状態変更手段（２）によって前記エンジン（Ｅ）の燃焼状態を変化させることで通常運転時と異なる振動を生じさせる残量警告制御を行う点に第１の特徴がある。【０００８】
また、乗員の操作に基づいて前記残量警告制御を所定時間の間停止する警告確認手段（５）を具備する点に第２の特徴がある。【０００９】
また、前記警告確認手段（５）は、車両に設けられた他の機器を操作する操作スイッチを兼用させる点に第３の特徴がある。【００１０】
また、前記操作スイッチは、前記エンジン（Ｅ）を始動させるスタータスイッチである点に第４の特徴がある。【００１１】
また、前記残量警告制御は、所定間隔毎に周期的に行われる点に第５の特徴がある。【００１２】
また、前記残量警告制御が、車両の走行に伴う燃料残量、燃料消費量、走行距離および経過時間等の変化に応じて前記所定間隔を変化させるように設定されている点に第６の特徴がある。【００１３】
また、前記残量警告制御が、車両の走行に伴う燃料残量、燃料消費量、走行距離および経過時間等の変化に応じて振動の大きさを変化させるように設定されている点に第７の特徴がある。【００１４】
また、前記残量警告制御が、前記エンジン（Ｅ）に燃料を供給するインジェクタ（１０）による燃料噴射量を変化させることで行われる点に第８の特徴がある。【００１５】
また、前記燃料噴射量の変化が、１サイクル中に発生する噴射タイミングのうちの連続する所定回数の噴射を制限する噴射間引きにより実行され、前記連続する所定回数を、前記エンジン（Ｅ）の気筒数に応じて増やす点に第９の特徴がある。【００１６】
また、前記連続する所定回数が、前記エンジン（Ｅ）の気筒数（Ｘ）÷２の算出式で算出される値以上の回数とされる点に第１０の特徴がある。【００１７】
また、前記残量警告制御が、前記エンジン（Ｅ）の点火装置（１１）の駆動態様を変化させることで行われる点に第１１の特徴がある。【００１８】
また、前記残量警告制御が、前記エンジン（Ｅ）への吸気量制限により行われる点に第１２の特徴がある。【００１９】
また、前記燃焼状態変更手段（２）が、前記エンジン（Ｅ）の燃焼状態を変化させることで車速制限制御をも行うように構成されており、前記残量警告制御によって生じる振動が、前記車速制限制御によって生じる振動と異なる点に第１３の特徴がある。【００２０】
また、前記残量警告制御は、前記エンジン（Ｅ）の回転数が所定値未満の状態では行われない点に第１４の特徴がある。【００２１】
また、前記残量警告制御は、車両の速度が所定値未満の状態では行われない点に第１５の特徴がある。【００２２】
さらに、前記残量警告制御の実行履歴を前記エンジン（Ｅ）の停止後も維持するメモリ（４）を備え、前記エンジン（Ｅ）の再始動時に前記燃料残量の増加がない場合は、前記実行履歴に基づいて、前記エンジン（Ｅ）の停止時から前記残量警告制御を再開する点に第１６の特徴がある。
【発明の効果】
【００２３】
第１の特徴によれば、エンジン（Ｅ）の燃焼状態を変更する燃焼状態変更手段（２）を具備し、前記燃料残量が所定値未満になると、前記燃焼状態変更手段（２）によって前記エンジン（Ｅ）の燃焼状態を変化させることで通常運転時と異なる振動を生じさせる残量警告制御を行うので、エンジンの燃焼状態が変化することでエンジンおよび車体に通常運転時と異なる振動を生じさせ、燃料残量が低下していることを乗員に認識させることが可能となる。これにより、燃料残量の低下を警告するための専用の装置を追加することなく、車両の走行中であっても燃料残量の低下を効果的に警告することが可能となる。【００２４】
第２の特徴によれば、乗員の操作に基づいて前記残量警告制御を所定時間の間停止する警告確認手段（５）を具備するので、乗員の意思により残量警告制御を一時停止できることから、燃料残量警告装置の使い勝手を向上させることができる。【００２５】
第３の特徴によれば、前記警告確認手段（５）は、車両に設けられた他の機器を操作する操作スイッチを兼用させるので、警告確認手段のために新たな部品を追加する必要がなく、部品点数の削減を図ることができる。【００２６】
第４の特徴によれば、前記操作スイッチは、前記エンジン（Ｅ）を始動させるスタータスイッチであるので、エンジンの始動後、走行中に使用することのないスタータスイッチを有効利用して警告確認手段を構成し、部品点数およびコストの削減を図ることができる。【００２７】
第５の特徴によれば、前記残量警告制御は、所定間隔毎に周期的に行われるので、残量警告制御により生じている振動が、機械的な不具合等ではなく、燃料残量の低下に起因した意図的な制御により生じていることを乗員に認識させることが可能となる。【００２８】
第６の特徴によれば、前記残量警告制御が、車両の走行に伴う燃料残量、燃料消費量、走行距離および経過時間等の変化に応じて前記所定間隔を変化させるように設定されているので、例えば、残量警告を開始してからの燃料使用量に応じて所定間隔が短くなるように設定することで、乗員に給油を促す効果が高められる。【００２９】
第７の特徴によれば、前記残量警告制御が、車両の走行に伴う燃料残量、燃料消費量、走行距離および経過時間等の変化に応じて振動の大きさを変化させるので、例えば、残量警告を開始してからの燃料使用量に応じて振動が大きくなるように設定することで、乗員に給油を促す効果が高められる。【００３０】
第８の特徴によれば、前記残量警告制御が、前記エンジン（Ｅ）に燃料を供給するインジェクタ（１０）による燃料噴射量を変化させることで行われるので、電子制御される燃料噴射の駆動態様を変更する（例えば、噴射量低減、噴射間引き、噴射タイミング遅延）ことで残量警告制御を行うことから、振動の大きさ等を細かく設定することが可能となる。【００３１】
第９の特徴によれば、前記燃料噴射量の変化が、１サイクル中に発生する噴射タイミングのうちの連続する所定回数の噴射を制限する噴射間引きにより実行され、前記連続する所定回数を、前記エンジン（Ｅ）の気筒数に応じて増やすので、エンジンの気筒数に応じて有効な残量警告制御を行うことが可能となる。【００３２】
第１０の特徴によれば、前記連続する所定回数が、前記エンジン（Ｅ）の気筒数（Ｘ）÷２の算出式で算出される値以上の回数とされるので、気筒数に応じた有効な振動発生効果を得ることができる。【００３３】
第１１の特徴によれば、前記残量警告制御が、前記エンジン（Ｅ）の点火装置（１１）の駆動態様を変化させることで行われるので、電子制御される点火装置の駆動態様を変更する（例えば、点火タイミング、点火カット、遅延制御）ことで残量警告制御を行うことから、振動の大きさ等を細かく設定することが可能となる。【００３４】
第１２の特徴によれば、前記残量警告制御が、前記エンジン（Ｅ）への吸気量制限により行われるので、電子制御される点火装置の駆動態様を変更することで残量警告制御を行うことから、振動の大きさ等を細かく設定することが可能となる。【００３５】
第１３の特徴によれば、前記燃焼状態変更手段（２）が、前記エンジン（Ｅ）の燃焼状態を変化させることで車速制限制御をも行うように構成されており、前記残量警告制御によって生じる振動が、前記車速制限制御によって生じる振動と異なるので、残量警告制御と車速制限制御との差異を明確にし、例えば、車速制限制御の振動によって燃料残量が所定値未満となったという誤解が生じることを防ぐことができる。【００３６】
第１４の特徴によれば、前記残量警告制御は、前記エンジン（Ｅ）の回転数が所定値未満の状態では行われないので、アイドリング運転中のエンストを避けたり、また、乗員が燃料残量の低下状態を認識して低回転を維持して走行している間は残量警告を行わないように設定することができる。【００３７】
第１５の特徴によれば、前記残量警告制御は、車両の速度が所定値未満の状態では行われないので、例えば、車両が停止していたり、乗員が車両を押し歩いている間は残量警告を行わないように設定することができる。【００３８】
第１６の特徴によれば、前記残量警告制御の実行履歴を前記エンジン（Ｅ）の停止後も維持するメモリ（４）を備え、前記エンジン（Ｅ）の再始動時に前記燃料残量の増加がない場合は、前記実行履歴に基づいて、前記エンジン（Ｅ）の停止時から前記残量警告制御を再開するので、例えば、残量警告制御を開始してからの経過時間に応じて振動発生周期が短くなる変更パターンを用いて残量警告制御を行っていた場合に、前回のエンジン停止までに短くなっていた振動発生周期を引き続き適用して残量警告制御を再開することが可能となる。これにより、給油の必要性をより効果的に乗員に警告することができる。
【図面の簡単な説明】
【００３９】
【図１】本発明の一実施形態に係る車両の燃料残量警告装置の全体構成を示すブロック図である。
【図２】燃焼状態を変更する方法の一覧表である。
【図３】残量警告制御の手順を示すフローチャートである。
【図４】スヌーズ制御の手順を示すフローチャートである。
【図５】自動二輪車用４サイクル４気筒ガソリンエンジンの要部システム構成図である。
【図６】複数気筒の燃料噴射サイクルを示す図である。
【図７】ＥＣＵの要部機能を示すブロック図である。
【図８】段階的に燃料カット割合を増やしていく例を示す図である。
【図９】燃焼状態変更手段に収納される変更パターンの説明図である。
【図１０】所定の変更パターンによる残量警告制御の手順を示すフローチャートである。
【図１１】残量警告制御２の手順を示すフローチャートである。
【発明を実施するための形態】
【００４０】
以下、図面を参照して本発明の好ましい実施の形態について詳細に説明する。図１は、本発明の一実施形態に係る車両の燃料残量警告装置の全体構成を示すブロック図である。制御部１は、車両の動力源であるエンジンＥの燃焼状態を制御するＥＣＵである。制御部１は、エンジンＥの通常運転時においては、主に、乗員が操作するスロットル装置の開度、エンジン回転数および車速の情報に基づいて、燃料噴射装置のインジェクタ１０、点火装置１１および吸気量制限手段１２を制御している。
【００４１】
本実施形態に係る制御部１は、燃料タンク１３の燃料残量が所定値未満になったときに、これを乗員に警告するためにエンジンＥの燃焼状態を通常運転時と異ならせる燃焼状態変更手段２を備えている。燃焼状態変更手段２によって行われる残量警告制御は、エンジンＥの燃焼状態を通常運転時と異ならせることで、通常運転時とは異なる振動をエンジンＥおよび車体に生じさせる。乗員は、この通常運転時とは異なる振動により、燃料残量が所定値未満になったことを触覚を通じて直感的に認識することができる。
【００４２】
制御部１には、燃料残量制御を実行するため、燃料タンク１３の燃料計６のほか、車両の走行距離を検知する距離計７、エンジンＥの回転数を検知する回転計８、経過時間を検知するタイマ９の情報が入力されている。また、燃焼状態変更手段２には、残量警告制御の振動発生の態様を記憶した変更パターン３が複数収納されており、制御部１には、この変更パターン３の実行履歴を保存できるメモリ４が設けられる。さらに、制御部１には、燃料残量制御による振動の発生を乗員の操作に応じて一時停止する、警告確認手段としての警告確認ボタン５が接続されている。
【００４３】
図２は、具体的に燃焼状態を変更する方法の一覧表である。残量警告制御は、インジェクタ１０、点火装置１１、吸気量制限手段１２のいずれかを用いて実行することができる。インジェクタ１０を用いる場合は、１回の噴射時間を短くする「噴射量制限」、所定の噴射タイミングで噴射を禁止する「噴射間引き」、または、噴射タイミングを遅らせる「噴射遅延」によって、エンジンＥに通常運転時と異なる振動を発生させることができる。
【００４４】
また、点火装置１１を用いる場合は、所定の点火タイミングで点火プラグの点火を禁止する「点火カット」、または、点火タイミングを遅らせる「遅角制御」が挙げられる。
【００４５】
さらに、吸気量制限手段１２を用いる場合は、吸気管に設けられたスロットルバルブを閉じ方向に駆動する「吸気管路絞り」、エアクリーナの内部に設けられたバルブ等を駆動して吸気抵抗を大きくする「エアクリーナ通路変更」、または、吸気管に設けられたバイパスエア通路を遮断する「バイパスエア遮断」が挙げられる。
【００４６】
なお、燃焼状態を変更する方法は上記した方法に限られず、また、インジェクタ１０、点火装置１１および吸気量制限手段１２の駆動を任意に組み合わせて残量警告制御を実行することも可能である。
【００４７】
図３は、残量警告制御の手順を示すフローチャートである。ステップＳ１０で、車両の電源をオンオフするＩＧスイッチ（イグニッションスイッチ）がオンにされると、ステップＳ１１では、燃料計６の出力に基づいて燃料残量が検知される。
【００４８】
続くステップＳ１２では、エンジンＥが運転中であるか否かが判定され、肯定判定されるとステップＳ１３に進む。ステップＳ１３では、燃料残量が所定値未満（例えば、３リットル未満）か否かが判定される。そして、ステップＳ１３で肯定されると、ステップＳ１４において、エンジンＥの燃焼状態を変更して通常運転時とは異なる振動を生じさせる残量警告制御が実行され、一連の制御を終了する。ステップＳ１２，Ｓ１３で否定判定されると、ステップＳ１１に戻る。すなわち、このフローチャートに示す残量警告制御は、エンジンＥが始動中でかつ燃料残量が所定値未満になったときであれば、停車中であっても走行中であっても実行されることとなる。
【００４９】
図４は、スヌーズ制御の手順を示すフローチャートである。本実施形態に係る燃料残量警告装置では、残量警告制御を乗員が任意に一時停止できるようにして使い勝手を向上させると共に、一時停止から所定時間が経過すると自動的に再警告を行うように設定されている。
【００５０】
ステップＳ２０では、残量警告制御が実行中であるか否かが判定され、肯定判定されるとステップＳ２１に進む。ステップＳ２１では、警告確認ボタン５が操作されたか否かが判定され、肯定判定されるとステップＳ２２に進んで、残量警告制御を一時停止する。この一時停止に伴って、タイマ９による時間計測が開始される。
【００５１】
ここで、警告確認ボタン５を、エンジンＥの始動時に用いるスタータスイッチと兼用させると、走行中に使用することのないスイッチを有効利用して警告確認手段を構成し、部品点数およびコストの削減を図ることが可能となる。なお、警告確認ボタンは、ウインカキャンセルスイッチなど他の機器のスイッチを兼用させたものであってもよい。
【００５２】
続くステップＳ２３では、残量警告制御を一時停止してから所定時間が経過したか否かが判定され、肯定判定されるとステップＳ２４に進む。ステップＳ２４では、燃料残量が所定値未満であるか否かが判定され、肯定判定されると、ステップＳ２６に進んで残量警告を再開し、乗員に再度給油を促すこととなる。
【００５３】
一方、ステップＳ２４で否定判定される、すなわち、乗員が任意に残量警告制御を一時停止した後に給油を行って燃料残量が所定値以上となっている場合には、ステップＳ２５に進んで残量警告をそのまま終了し、一連の制御を終了する。
【００５４】
図５は、自動二輪車用４サイクル４気筒ガソリンエンジンの要部システム構成図である。以下では、前記したインジェクタ１０、点火装置１１、吸気量制限手段１２のうち、インジェクタ１０を用いて残量警告制御（燃焼状態変更制御）を実行する手順を説明する。
【００５５】
エンジンＥは、４つの気筒２２を備え、各気筒２２には、吸気マニホルド（吸気管）１５と排気マニホルド２６とが接続されている。吸気マニホルド１５の各分岐管１５ａ、１５ｂ、１５ｃ、１５ｄには、それぞれ燃料噴射弁（インジェクタ）１０が設けられる。吸気マニホルド１５の集合管１６には、スロットルバルブ１７を有するスロットルボディ１８が設けられ、スロットルバルブ１７には、スロットル開度θＴＨを検出するスロットルセンサ１９が接続される。
【００５６】
集合管１６の管壁には負圧センサ２０および吸気温センサ２１が取り付けられる。一方、排気マニホルド２６の集合管２７には酸素濃度センサ２８が設けられ、その下流には三元触媒２９が設けられる。三元触媒２９は、排気ガス中のＨＣ、ＣＯ、ＮＯｘ等の浄化を行う。
【００５７】
エンジンＥには、クランク角センサ２４とカム角センサ２３とエンジン温度センサ２５とが設けられる。クランク角センサ２４は、図示しないクランク軸に関して設けられ、所定クランク角度毎にクランクパルスを出力する。カム角センサ２３は、図示しない吸気弁または排気弁を開閉するカム軸に関して設けられ、４つの気筒のうち特定の気筒の圧縮上死点でカムパルスを出力するように設定される。他の気筒の圧縮上死点は各気筒間の相対クランク角に基づいて判定される。エンジン温度センサ２５は、エンジンＥのウォータジャケット壁に設けられ、冷却水温の検出信号を出力する。
【００５８】
上記各センサの出力信号は、マイクロコンピュータを備えたＥＣＵ１に入力され、燃料噴射量および燃料噴射時期の制御に使用されるほか、点火時期制御等にも使用される。ＥＣＵ１では、通常の燃料噴射制御や点火時期制御のほか、本発明に係る燃焼状態変更制御（残量警告制御）および車速制限制御を行う。
【００５９】
本実施形態に係る残量警告制御は、燃料残量が所定値未満になったときに、４つの気筒に対する燃料噴射を所定の割合で休止し、これによってエンジンＥに振動を生じさせて乗員に触覚を通じて警告するものである。一方、車速制限制御は、車速が予め設定した速度制限値を超過した時に、４つの気筒に対する燃料噴射を所定の割合で休止し、これによってエンジン出力を低下させ、車速を所定の最高速度以下に制限するものである。
【００６０】
このとき、残量警告制御と車速制限制御とにおいて燃料噴射の態様を異ならせて、発生する振動が異なるように設定しておく。これにより、例えば、車速制限制御の振動によって燃料残量が所定値未満となったという誤解が生じることがなくなる。また、残量警告制御においては、振動による警告を与えながらスロットル操作に応じた加速ができるようにしておくことで、車速制限制御との差異をより明確にしてもよい。
【００６１】
図６は、複数気筒の燃料噴射サイクルを示す図である。図６において、♯１〜♯４は気筒の識別符号である。図示のように、燃料残量が所定値以上である場合は、♯１、♯２、♯４、♯３の順番にすべての気筒に対して燃料噴射を行い、この順序の繰り返しを維持する。そして、燃料残量が所定値未満となったときに、このサイクルで行われている燃料噴射を所定の割合で休止（燃料カット）する。
【００６２】
図７は、ＥＣＵ１の要部機能を示すブロック図であり、気筒♯１〜♯４に共通するものである。回転数算出部３０は、クランク角センサ２４から出力されるクランクパルスの周期に基づいてエンジン回転数Ｎｅを算出する。燃料噴射量算出部３２は、エンジン回転数Ｎｅとスロットルセンサ１９で検出されるスロットル開度θＴＨとに基づいて、燃料噴射時間Ｔｉで代表される燃料噴射量を算出する。燃料噴射量は、燃料噴射時間Ｔｉとエンジン回転数Ｎｅおよびスロットル開度θＴＨとの関係を示すマップを使用したり、また、所定の算出式を用いる等の周知の方法で算出できる。燃料噴射時間Ｔｉは、エンジン温度センサ２５で検出されるエンジン温度や吸気温センサ２１で検出される吸気温度等によって補正できる。
【００６３】
燃料噴射時期決定部３３は、エンジン回転数Ｎｅとスロットル開度θＴＨとに基づいて燃料噴射開始時期を決定する。燃料噴射タイミングも、エンジン回転数Ｎｅやスロットル開度θＴＨ以外のパラメータ、例えば、エンジン温度等によって補正することができる。
【００６４】
燃料噴射時期決定部３３には、クランク角センサ２４およびカム角センサ２３からクランクパルスおよびカムパルスが入力され、これらの入力信号に基づいて算出される各気筒のクランク角が、前記燃料噴射時期と一致したときに燃料噴射指令を出力する。ドライバ３７は、燃料噴射指令が入力されたときに、前記燃料噴射時間Ｔｉだけインジェクタ１０に電流を流して燃料を噴射させる。
【００６５】
さらに、本実施形態では、残量警告制御のために、燃料噴射時期決定部３３から出力する燃料噴射指令を休止させる燃料カット制御部３５と、燃料噴射時期を遅延させる遅延手段３４と、燃料カットおよび燃料噴射時期遅延対象の気筒を検出する気筒判定部３１とが設けられる。
【００６６】
燃料残量判定部３６は、燃料計６の出力に基づいて、燃料残量が所定値未満となった場合に、燃料カット制御部３５および遅延手段３４に車速検出信号を入力する。気筒判別部３１はカムパルスとクランクパルスとに基づいて気筒判別を行う。燃料カット制御部３５は、気筒判別部３１からの気筒識別信号に基づいて予め決定されている燃料カット対象の気筒を判断し、燃料カット指令を出力する。遅延手段３４は、気筒識別信号に基づいて燃料噴射時期を遅延させる予定の気筒を判断し、遅延指令を出力する。
【００６７】
燃料カット指令が出力されると、燃料噴射指令は休止されてインジェクタ１０のドライバ３７に入力されない。また、遅延指令が出力されると、燃料噴射指令は遅延されてドライバ３７に入力される。
【００６８】
図８は、段階的に燃料カット割合を増やしていく例を示す図である。各図において、白丸（○）は通常噴射、黒丸（●）は噴射遅延、バツ印（×）は噴射カットを示す。そして、（ａ）は１０回の燃料噴射動作の２回燃料カットを行った場合、（ｂ）は１０回に燃料噴射動作のうち３回燃料カットを行った場合、（ｃ）は１０回に燃料噴射動作のうち４回燃料カットを行った場合となる。
【００６９】
図示するように、（ａ）〜（ｃ）のいずれの燃料カット（×）の場合も、少なくとも直前１回の当該気筒の燃料噴射は噴射時期を遅らせる噴射遅延（●）として吸気管の壁面に張り付く燃料量を低減するように制御する。これにより、前回の燃料噴射時に吸気管に付着して残留している少量の燃料が、燃料カット時のサイクルで燃焼室に流入して未燃焼ガスを発生させることを防ぐことができる。
【００７０】
噴射カットによる残量警告制御の場合は、燃料カット数が（ａ）→（ｂ）→（ｃ）へと増えるにつれて、エンジンの回転速度変化が大きくなるので、これに伴ってエンジンＥに生じる振動が大きくなり、乗員により強く給油を促すことができる。このように、本実施形態に係る燃焼状態変更手段２は、振動の大きさを任意に変えることができるため、例えば、車両の走行に伴う燃料残量、燃料消費量、走行距離および経過時間等の変化に応じて徐々に振動が大きくなるように設定し、に給油を促す効果が高めることができる。
【００７１】
なお、上記では４気筒エンジンの例を示したが、燃料カットによる残量警告制御はエンジンの気筒数に関わらず実行可能である。例えば、１サイクル中に発生する噴射タイミングのうちの連続する所定回数の噴射を制限する噴射間引きによって残量警告制御を実行する場合は、連続する所定回数をエンジンの気筒数に応じて増やすことで、気筒数に応じた残量警告制御を行うことが可能となる。
【００７２】
また、上記した噴射間引きは、気筒数Ｘ÷２の算出式で算出される値以上の回数連続して実行することで有効な振動発生効果が得られる。例えば、３，４気筒エンジンであれば２回以上、５，６気筒エンジンであれば３回以上、７，８気筒エンジンであれば４回以上連続して噴射間引きを行うのがよい。
【００７３】
図９は、燃焼状態変更手段２に収納される変更パターン３の概要説明図である。燃焼状態変更手段２によって実行される残量警告制御は、制御開始から一定の振動を発生し続けるだけでなく、大きさや周期を変化させる種々の変更パターンによって実行することができる。この図では、上側から（ａ）〜（ｄ）の４つの変更パターンの概要を示している。
【００７４】
（ａ）は、時刻ｔ１での制御開始から所定時間毎に振動を大きくするものである。このような変更パターンによれば、時間の経過に伴って徐々に振動が大きくなることで、乗員に給油を促す効果が高くなる。
【００７５】
（ｂ）は、時刻ｔ１での制御開始から振動のオンオフを一定の周期で繰り返すものである。このような変更パターンによれば、エンジンおよび車体に生じている振動が機械的な不具合等ではなく、燃料残量の低下に起因した意図的な制御により生じていることを乗員に認識させることができる。
【００７６】
（ｃ）は、振動オンと振動オフとを繰り返す間に振動オフの時間が徐々に短くなる（ｃ１＞ｃ２＞ｃ３）ものであり、（ｄ）は、振動オンと振動オフとを繰り返す間に振動オンの時間が徐々に長くなる（ｄ１＜ｄ２＜ｄ３＜ｄ４）ものである。これらのような変更パターンによれば、制御開始時からの時間経過に伴って給油の必要性が高まっていることを乗員に認識させることができる。
【００７７】
上記した変更パターンは、それぞれ単独で適用するほか、制御開始時とスヌーズ制御で再開する時とで異なる変更パターンを適用する等、種々の方法で適用することができる。
【００７８】
また、図９に示した変更パターン（ａ），（ｃ），（ｄ）は、振動の大きさや振動発生の周期等を時間経過に応じて変更させるものであったが、振動の大きさや振動発生の周期等は、時間経過のほか、車両の走行に伴う燃料残量、燃料消費量、走行距離等に応じて変更することもできる。
【００７９】
さらに、上記したような変更パターンは、インジェクタ１０、点火装置１１、吸気量制限手段１２のいずれを適用して形成してもよく、また、これらのうち、２以上の手段を組み合わせて適切な振動を発生させてもよい。
【００８０】
図１０は、所定の変更パターンによる残量警告制御の手順を示すフローチャートである。このフローチャートでは、図９で示した変更パターン（ｃ）を用いて残量警告制御の実行中に、警告確認ボタン５が操作され、所定時間の経過に伴って残量警告制御を再開する際に、警告確認ボタン５を操作した時点の制御状態から再開する手順に対応する。
【００８１】
ステップＳ３０では、燃焼状態変更の間隔が徐々に短くなる変更パターンで残量警告制御が実行中であるか否かが判定される。ステップＳ３０で肯定判定されると、ステップＳ３１では、警告確認ボタン５が操作されたか否かが判定される。ステップＳ３１で肯定判定されると、ステップＳ３２において残量警告が一時停止される。このとき、制御部１は、残量警告制御の開始からの経過時間や、燃焼状態変更の間隔が制御開始時よりどのくらい短くなったかという実行履歴をメモリ４に記憶する。
【００８２】
ステップＳ３３では、一時停止から所定時間が経過したか否かが判定され、肯定判定されるとステップＳ３４に進む。ステップＳ３４では、燃料残量が所定値未満であるか否かが判定される。そして、ステップＳ３４で肯定判定されると、メモリ４に記憶された実行履歴に基づいて、前回一時停止した時点から所定パターンにより残量警告制御が再開されることとなる。なお、ステップＳ３３の判定は、図中に示すように、一時停止した時点から車両が所定距離走行したか否か、または、一時停止した時点から燃料を所定量噴射したか否か、または、一時停止した時点からエンジンのクランクシャフトが所定数回転したか否かによって判定するように構成してもよい。
【００８３】
ステップＳ３０，Ｓ３１で否定判定された場合は、そのまま一連の制御を終了する。また、ステップＳ３３で否定判定されるとステップＳ３３の判定に戻り、ステップＳ３４で否定判定されると、ステップＳ３５で残量警告制御を終了して一連の制御を終了する。
【００８４】
なお、メモリ４は不揮発メモリで構成されるため、エンジンＥを停止して車両の電源がオフになっても実行履歴を保存できる。これにより、エンジンの再始動時に、前回エンジンを停止した時点で行われていた残量警告制御を再開することも可能である。
【００８５】
また、上記のフローチャートでは、残量警告制御中に警告確認ボタンが操作することで任意に残量警告制御を一時停止する例を示したが、この一時停止は、残量警告制御の開始から乗員が認識するために十分な一定時間（例えば、１分）が経過したことをトリガとして自動的に行うように設定することもできる。
【００８６】
図１１は、残量警告制御２の手順を示すフローチャートである。このフローチャートでは、燃料残量が所定値未満になることに加え、エンジン回転数が所定値以上であるという付加条件が課される点に特徴がある。
【００８７】
ステップＳ４０で、車両の電源をオンオフするＩＧスイッチがオンにされると、ステップＳ４１では、燃料計６の出力に基づいて燃料残量が検知される。
【００８８】
続くステップＳ４２では、エンジンＥが運転中であるか否かが判定され、肯定判定されるとステップＳ４３に進む。ステップＳ４３では、燃料残量が所定値未満か否かが判定される。ステップＳ４３で肯定されると、ステップＳ４４に進み、エンジン回転数が所定値（例えば、２０００ｒｐｍ）以上であるか否かが判定される。
【００８９】
ステップＳ４４で肯定判定される、すなわち、燃料残量が所定値未満でかつエンジン回転数が所定値以上であると判定されると、ステップＳ４５において残量警告制御が実行されることとなる。
【００９０】
上記した制御態様によれば、アイドリング運転中のエンストを避けたり、また、乗員が燃料残量の低下状態を認識して低回転を維持して走行している間は残量警告制御を行わないようにすることができる。
【００９１】
一方、付加条件としては、車速センサで検知される車速が所定値（例えば、１０ｋｍ／ｈ）以上であることを設定することができる。この設定によれば、車両が停止していたり、乗員が車両を押し歩いている間は残量警告制御を行わないようにすることができる。
【００９２】
上記したように、本発明に係る車両の燃料残量警告装置によれば、燃料計６により検知される燃料残量が所定値未満になると、ＥＣＵ１に備えられる燃焼状態変更手段２によってエンジンＥの燃焼状態を変化させて通常運転時と異なる振動を生じさせる残量警告制御を行うので、燃料残量が低下していることを触覚を通じて直感的に乗員に認識させることが可能となる。これにより、燃料残量の低下を警告するための専用の装置を追加することなく、車両の走行中であっても燃料残量の低下を効果的に警告することが可能となる。
【００９３】
なお、エンジンの構造や形態、インジェクタ、点火装置および吸気量制限手段の構造や個数、残量警告制御の変更パターンの態様、残量警告制御を構成するインジェクタ、点火装置および吸気量制限手段の組み合わせ等は、上記実施形態に限られず、種々の変更が可能である。本発明に係る車両の燃料残量警告装置は、自動二輪車に限られず、鞍乗型の三／四輪車等の各種車両に適用することが可能である。
【符号の説明】
【００９４】
１…制御部（ＥＣＵ）、２…燃焼状態変更手段、４…メモリ、３…変更パターン、５…警告確認ボタン（警告確認手段）、６…燃料計、７…距離計、８…回転計、９…タイマ、１０…インジェクタ、１１…点火装置、１２…吸気量制限手段、１３…燃料タンク、Ｅ…エンジン
【図１】
2016047463.tif 000003
【図２】
2016047463.tif 000004
【図３】
2016047463.tif 000005
【図４】
2016047463.tif 000006
【図５】
2016047463.tif 000007
【図６】
2016047463.tif 000008
【図７】
2016047463.tif 000009
【図８】
2016047463.tif 000010
【図９】
2016047463.tif 000011
【図１０】
2016047463.tif 000012
【図１１】
2016047463.tif 000013
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
燃料タンク（１３）の燃料残量を計測する燃料計（６）の出力に基づいて、燃料残量が所定値未満になったことを警告する自動二輪車の燃料残量警告装置において、
エンジン（Ｅ）の燃焼状態を変更する燃焼状態変更手段（２）を具備し、
前記燃料残量が所定値未満になると、前記燃焼状態変更手段（２）によって前記エンジン（Ｅ）の燃焼状態を変化させることで通常運転時と異なる振動を生じさせる残量警告制御を行い、
前記残量警告制御は、車両の速度が１０ｋｍ／ｈ未満の状態では行われないことを特徴とする自動二輪車の燃料残量警告装置。
【請求項２】
乗員の操作に基づいて前記残量警告制御を所定時間の間停止する警告確認手段（５）を具備することを特徴とする請求項１に記載の自動二輪車の燃料残量警告装置。
【請求項３】
前記警告確認手段（５）は、車両に設けられた他の機器を操作する操作スイッチを兼用させることを特徴とする請求項２に記載の自動二輪車の燃料残量警告装置。
【請求項４】
前記操作スイッチは、前記エンジン（Ｅ）を始動させるスタータスイッチであることを特徴とする請求項３に記載の自動二輪車の燃料残量警告装置。
【請求項５】
前記残量警告制御は、所定間隔毎に周期的に行われることを特徴とする請求項１ないし４のいずれかに記載の自動二輪車の燃料残量警告装置。
【請求項６】
前記残量警告制御が、車両の走行に伴う燃料残量、燃料消費量、走行距離および経過時間等の変化に応じて前記所定間隔を変化させるように設定されていることを特徴とする請求項５に記載の自動二輪車の燃料残量警告装置。
【請求項７】
前記残量警告制御が、車両の走行に伴う燃料残量、燃料消費量、走行距離および経過時間等の変化に応じて振動の大きさを変化させるように設定されていることを特徴とする請求項５に記載の自動二輪車の燃料残量警告装置。
【請求項８】
前記残量警告制御が、前記エンジン（Ｅ）に燃料を供給するインジェクタ（１０）による燃料噴射量を変化させることで行われることを特徴とする請求項１ないし７のいずれかに記載の自動二輪車の燃料残量警告装置。
【請求項９】
前記燃料噴射量の変化が、１サイクル中に発生する噴射タイミングのうちの連続する所定回数の噴射を制限する噴射間引きにより実行され、
前記連続する所定回数を、前記エンジン（Ｅ）の気筒数に応じて増やすことを特徴とする請求項８に記載の自動二輪車の燃料残量警告装置。
【請求項１０】
前記連続する所定回数が、前記エンジン（Ｅ）の気筒数（Ｘ）÷２の算出式で算出される値以上の回数とされることを特徴とする請求項９に記載の自動二輪車の燃料残量警告装置。
【請求項１１】
前記残量警告制御が、前記エンジン（Ｅ）の点火装置（１１）の駆動態様を変化させることで行われることを特徴とする請求項１ないし７のいずれかに記載の自動二輪車の燃料残量警告装置。
【請求項１２】
前記残量警告制御が、前記エンジン（Ｅ）への吸気量制限により行われることを特徴とする請求項１ないし７のいずれかに記載の自動二輪車の燃料残量警告装置。
【請求項１３】
前記燃焼状態変更手段（２）が、前記エンジン（Ｅ）の燃焼状態を変化させることで車速制限制御をも行うように構成されており、
前記残量警告制御によって生じる振動が、前記車速制限制御によって生じる振動と異なることを特徴とする請求項１ないし１２のいずれかに記載の自動二輪車の燃料残量警告装置。
【請求項１４】
前記残量警告制御は、前記エンジン（Ｅ）の回転数が所定値未満の状態では行われないことを特徴とする請求項１ないし１３のいずれかに記載の自動二輪車の燃料残量警告装置。
【請求項１５】
（削除）
【請求項１６】
前記残量警告制御の実行履歴を前記エンジン（Ｅ）の停止後も維持するメモリ（４）を備え、
前記エンジン（Ｅ）の再始動時に前記燃料残量の増加がない場合は、前記実行履歴に基づいて、前記エンジン（Ｅ）の停止時から前記残量警告制御を再開することを特徴とする請求項１ないし１４のいずれかに記載の自動二輪車の燃料残量警告装置。
【手続補正３】
【補正対象書類名】明細書
【補正対象項目名】０００１
【補正方法】変更
【補正の内容】
【０００１】
技術分野
［０００１］
本発明は、自動二輪車の燃料残量警告装置に係り、特に、燃料残量が所定値未満になったことを警告する自動二輪車の燃料残量警告装置に関する。
背景技術
［０００２］
従来から、車両には燃料タンク内の燃料残量を表示する燃料計が設けられており、燃料残量が所定値未満になったときにインジケータ等で警告する構造が知られている。
［０００３］
特許文献１には、コスト上昇の抑制を考慮した燃料残量警告装置が開示されている。
先行技術文献
特許文献
［０００４］
特許文献１：特開２０１０−３２２７９号公報
発明の概要
発明が解決しようとする課題
［０００５］
しかしながら、車種によっては、コスト等の関係からインジケータ（光源）を設けられないものもあり、光源を用いずとも運転者に警告を行うことが望まれていた。また、光源を用いた場合でも、さらに直感的に運転者へ警告を行うことが望まれている。
［０００６］
本発明の目的は、上記従来技術の課題を解決し、燃料残量が所定値未満であることを直感的に認識させることができる自動二輪車の燃料残量警告装置を提供することにある。
課題を解決するための手段
［０００７］
前記目的を達成するために、本発明は、燃料タンク（１３）の燃料残量を計測する燃料計（６）の出力に基づいて、燃料残量が所定値未満になったことを警告する自動二輪車の燃料残量警告装置において、エンジン（Ｅ）の燃焼状態
【手続補正４】
【補正対象書類名】明細書
【補正対象項目名】０００２
【補正方法】変更
【補正の内容】
【０００２】
を変更する燃焼状態変更手段（２）を具備し、前記燃料残量が所定値未満になると、前記燃焼状態変更手段（２）によって前記エンジン（Ｅ）の燃焼状態を変化させることで通常運転時と異なる振動を生じさせる残量警告制御を行い、前記残量警告制御は、車両の速度が１０ｋｍ／ｈ未満の状態では行われない点に第１の特徴がある。
［０００８］
また、乗員の操作に基づいて前記残量警告制御を所定時間の間停止する警告確認手段（５）を具備する点に第２の特徴がある。
［０００９］
また、前記警告確認手段（５）は、車両に設けられた他の機器を操作する操作スイッチを兼用させる点に第３の特徴がある。
［００１０］
また、前記操作スイッチは、前記エンジン（Ｅ）を始動させるスタータスイッチである点に第４の特徴がある。
［００１１］
また、前記残量警告制御は、所定間隔毎に周期的に行われる点に第５の特徴がある。
［００１２］
また、前記残量警告制御が、車両の走行に伴う燃料残量、燃料消費量、走行距離および経過時間等の変化に応じて前記所定間隔を変化させるように設定されている点に第６の特徴がある。
［００１３］
また、前記残量警告制御が、車両の走行に伴う燃料残量、燃料消費量、走行距離および経過時間等の変化に応じて振動の大きさを変化させるように設定されている点に第７の特徴がある。
［００１４］
また、前記残量警告制御が、前記エンジン（Ｅ）に燃料を供給するインジェクタ（１０）による燃料噴射量を変化させることで行われる点に第８の特徴がある。
［００１５］
また、前記燃料噴射量の変化が、１サイクル中に発生する噴射タイミングのうちの連続する所定回数の噴射を制限する噴射間引きにより実行され、前記連続する所定回数を、前記エンジン（Ｅ）の気筒数に応じて増やす点に第９の特徴がある。
［００１６］
また、前記連続する所定回数が、前記エンジン（Ｅ）の気筒数（Ｘ）÷２の
【手続補正５】
【補正対象書類名】明細書
【補正対象項目名】０００３
【補正方法】変更
【補正の内容】
【０００３】
算出式で算出される値以上の回数とされる点に第１０の特徴がある。
［００１７］
また、前記残量警告制御が、前記エンジン（Ｅ）の点火装置（１１）の駆動態様を変化させることで行われる点に第１１の特徴がある。
［００１８］
また、前記残量警告制御が、前記エンジン（Ｅ）への吸気量制限により行われる点に第１２の特徴がある。
［００１９］
また、前記燃焼状態変更手段（２）が、前記エンジン（Ｅ）の燃焼状態を変化させることで車速制限制御をも行うように構成されており、前記残量警告制御によって生じる振動が、前記車速制限制御によって生じる振動と異なる点に第１３の特徴がある。
［００２０］
また、前記残量警告制御は、前記エンジン（Ｅ）の回転数が所定値未満の状態では行われない点に第１４の特徴がある。
［００２１］
［００２２］
さらに、前記残量警告制御の実行履歴を前記エンジン（Ｅ）の停止後も維持するメモリ（４）を備え、前記エンジン（Ｅ）の再始動時に前記燃料残量の増加がない場合は、前記実行履歴に基づいて、前記エンジン（Ｅ）の停止時から前記残量警告制御を再開する点に第１６の特徴がある。
発明の効果
［００２３］
第１の特徴によれば、エンジン（Ｅ）の燃焼状態を変更する燃焼状態変更手段（２）を具備し、前記燃料残量が所定値未満になると、前記燃焼状態変更手段（２）によって前記エンジン（Ｅ）の燃焼状態を変化させることで通常運転時と異なる振動を生じさせる残量警告制御を行うので、エンジンの燃焼状態が変化することでエンジンおよび車体に通常運転時と異なる振動を生じさせ、燃料残量が低下していることを乗員に認識させることが可能となる。これにより、燃料残量の低下を警告するための専用の装置を追加することなく、車両の走行中であっても燃料残量の低下を効果的に警告することが可能となる。また、前記残量警告制御は、車両の速度が１０ｋｍ／ｈ未満の状態では行われないので、乗員が車両を押し歩いている間は残量警告を行わないように設定することができる。
［００２４］
第２の特徴によれば、乗員の操作に基づいて前記残量警告制御を所定時間の間停止する警告確認手段（５）を具備するので、乗員の意思により残量警告制御を一時停止できることから、燃料残量警告装置の使い勝手を向上させ
【手続補正６】
【補正対象書類名】明細書
【補正対象項目名】０００５
【補正方法】変更
【補正の内容】
【０００５】
り実行され、前記連続する所定回数を、前記エンジン（Ｅ）の気筒数に応じて増やすので、エンジンの気筒数に応じて有効な残量警告制御を行うことが可能となる。
［００３２］
第１０の特徴によれば、前記連続する所定回数が、前記エンジン（Ｅ）の気筒数（Ｘ）÷２の算出式で算出される値以上の回数とされるので、気筒数に応じた有効な振動発生効果を得ることができる。
［００３３］
第１１の特徴によれば、前記残量警告制御が、前記エンジン（Ｅ）の点火装置（１１）の駆動態様を変化させることで行われるので、電子制御される点火装置の駆動態様を変更する（例えば、点火タイミング、点火カット、遅延制御）ことで残量警告制御を行うことから、振動の大きさ等を細かく設定することが可能となる。
［００３４］
第１２の特徴によれば、前記残量警告制御が、前記エンジン（Ｅ）への吸気量制限により行われるので、電子制御される点火装置の駆動態様を変更することで残量警告制御を行うことから、振動の大きさ等を細かく設定することが可能となる。
［００３５］
第１３の特徴によれば、前記燃焼状態変更手段（２）が、前記エンジン（Ｅ）の燃焼状態を変化させることで車速制限制御をも行うように構成されており、前記残量警告制御によって生じる振動が、前記車速制限制御によって生じる振動と異なるので、残量警告制御と車速制限制御との差異を明確にし、例えば、車速制限制御の振動によって燃料残量が所定値未満となったという誤解が生じることを防ぐことができる。
［００３６］
第１４の特徴によれば、前記残量警告制御は、前記エンジン（Ｅ）の回転数が所定値未満の状態では行われないので、アイドリング運転中のエンストを避けたり、また、乗員が燃料残量の低下状態を認識して低回転を維持して走行している間は残量警告を行わないように設定することができる。
［００３７］
【手続補正７】
【補正対象書類名】明細書
【補正対象項目名】００１６
【補正方法】変更
【補正の内容】
【００１６】
所定値未満か否かが判定される。ステップＳ４３で肯定されると、ステップＳ４４に進み、エンジン回転数が所定値（例えば、２０００ｒｐｍ）以上であるか否かが判定される。
［００８９］
ステップＳ４４で肯定判定される、すなわち、燃料残量が所定値未満でかつエンジン回転数が所定値以上であると判定されると、ステップＳ４５において残量警告制御が実行されることとなる。
［００９０］
上記した制御態様によれば、アイドリング運転中のエンストを避けたり、また、乗員が燃料残量の低下状態を認識して低回転を維持して走行している間は残量警告制御を行わないようにすることができる。
［００９１］
一方、付加条件としては、車速センサで検知される車速が所定値（例えば、１０ｋｍ／ｈ）以上であることを設定することができる。この設定によれば、車両が停止していたり、乗員が車両を押し歩いている間は残量警告制御を行わないようにすることができる。
［００９２］
上記したように、本発明に係る自動二輪車の燃料残量警告装置によれば、燃料計６により検知される燃料残量が所定値未満になると、ＥＣＵ１に備えられる燃焼状態変更手段２によってエンジンＥの燃焼状態を変化させて通常運転時と異なる振動を生じさせる残量警告制御を行うので、燃料残量が低下していることを触覚を通じて直感的に乗員に認識させることが可能となる。これにより、燃料残量の低下を警告するための専用の装置を追加することなく、車両の走行中であっても燃料残量の低下を効果的に警告することが可能となる。
［００９３］
なお、エンジンの構造や形態、インジェクタ、点火装置および吸気量制限手段の構造や個数、残量警告制御の変更パターンの態様、残量警告制御を構成するインジェクタ、点火装置および吸気量制限手段の組み合わせ等は、上記実施形態に限られず、種々の変更が可能である。本発明に係る車両の燃料残量警告装置は、自動二輪車に限られず、鞍乗型の三／四輪車等の各種車両に適用することが可能である。
符号の説明
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
燃料タンク（１３）の燃料残量を計測する燃料計（６）の出力に基づいて、燃料残量が所定値未満になったことを警告する自動二輪車の燃料残量警告装置において、
エンジン（Ｅ）の燃焼状態を変更する燃焼状態変更手段（２）を具備し、
前記燃料残量が所定値未満になると、前記燃焼状態変更手段（２）によって前記エンジン（Ｅ）の燃焼状態を変化させることで通常運転時と異なる振動を生じさせる残量警告制御を行い、
前記残量警告制御は、車両の速度が１０ｋｍ／ｈ未満の状態で、かつ前記エンジン（Ｅ）の回転数が２０００ｒｐｍ未満の状態では行われないことを特徴とする自動二輪車の燃料残量警告装置。
【請求項２】
乗員の操作に基づいて前記残量警告制御を所定時間の間停止する警告確認手段（５）を具備することを特徴とする請求項１に記載の自動二輪車の燃料残量警告装置。
【請求項３】
前記警告確認手段（５）は、車両に設けられた他の機器を操作する操作スイッチを兼用させることを特徴とする請求項２に記載の自動二輪車の燃料残量警告装置。
【請求項４】
前記操作スイッチは、前記エンジン（Ｅ）を始動させるスタータスイッチであることを特徴とする請求項３に記載の自動二輪車の燃料残量警告装置。
【請求項５】
前記残量警告制御は、所定間隔毎に周期的に行われることを特徴とする請求項１ないし４のいずれかに記載の自動二輪車の燃料残量警告装置。
【請求項６】
前記残量警告制御が、車両の走行に伴う燃料残量、燃料消費量、走行距離および経過時間等の変化に応じて前記所定間隔を変化させるように設定されていることを特徴とする請求項５に記載の自動二輪車の燃料残量警告装置。
【請求項７】
前記残量警告制御が、車両の走行に伴う燃料残量、燃料消費量、走行距離および経過時間等の変化に応じて振動の大きさを変化させるように設定されていることを特徴とする請求項５に記載の自動二輪車の燃料残量警告装置。
【請求項８】
前記残量警告制御が、前記エンジン（Ｅ）に燃料を供給するインジェクタ（１０）による燃料噴射量を変化させることで行われることを特徴とする請求項１ないし７のいずれかに記載の自動二輪車の燃料残量警告装置。
【請求項９】
前記燃料噴射量の変化が、１サイクル中に発生する噴射タイミングのうちの連続する所定回数の噴射を制限する噴射間引きにより実行され、
前記連続する所定回数を、前記エンジン（Ｅ）の気筒数に応じて増やすことを特徴とする請求項８に記載の自動二輪車の燃料残量警告装置。
【請求項１０】
前記連続する所定回数が、前記エンジン（Ｅ）の気筒数（Ｘ）÷２の算出式で算出される値以上の回数とされることを特徴とする請求項９に記載の自動二輪車の燃料残量警告装置。
【請求項１１】
前記残量警告制御が、前記エンジン（Ｅ）の点火装置（１１）の駆動態様を変化させることで行われることを特徴とする請求項１ないし７のいずれかに記載の自動二輪車の燃料残量警告装置。
【請求項１２】
前記残量警告制御が、前記エンジン（Ｅ）への吸気量制限により行われることを特徴とする請求項１ないし７のいずれかに記載の自動二輪車の燃料残量警告装置。
【請求項１３】
前記燃焼状態変更手段（２）が、前記エンジン（Ｅ）の燃焼状態を変化させることで車速制限制御をも行うように構成されており、
前記残量警告制御によって生じる振動が、前記車速制限制御によって生じる振動と異なることを特徴とする請求項１ないし１２のいずれかに記載の自動二輪車の燃料残量警告装置。
【請求項１４】
（削除）
【請求項１５】
（削除）
【請求項１６】
前記残量警告制御の実行履歴を前記エンジン（Ｅ）の停止後も維持するメモリ（４）を備え、
前記エンジン（Ｅ）の再始動時に前記燃料残量の増加がない場合は、前記実行履歴に基づいて、前記エンジン（Ｅ）の停止時から前記残量警告制御を再開することを特徴とする請求項１ないし１４のいずれかに記載の自動二輪車の燃料残量警告装置。
【手続補正２】
【補正対象書類名】明細書
【補正対象項目名】０００２
【補正方法】変更
【補正の内容】
【０００２】
を変更する燃焼状態変更手段（２）を具備し、前記燃料残量が所定値未満になると、前記燃焼状態変更手段（２）によって前記エンジン（Ｅ）の燃焼状態を変化させることで通常運転時と異なる振動を生じさせる残量警告制御を行い、前記残量警告制御は、車両の速度が１０ｋｍ／ｈ未満の状態で、かつ前記エンジン（Ｅ）の回転数が２０００ｒｐｍ未満の状態では行われない点に第１の特徴がある。
［０００８］
また、乗員の操作に基づいて前記残量警告制御を所定時間の間停止する警告確認手段（５）を具備する点に第２の特徴がある。
［０００９］
また、前記警告確認手段（５）は、車両に設けられた他の機器を操作する操作スイッチを兼用させる点に第３の特徴がある。
［００１０］
また、前記操作スイッチは、前記エンジン（Ｅ）を始動させるスタータスイッチである点に第４の特徴がある。
［００１１］
また、前記残量警告制御は、所定間隔毎に周期的に行われる点に第５の特徴がある。
［００１２］
また、前記残量警告制御が、車両の走行に伴う燃料残量、燃料消費量、走行距離および経過時間等の変化に応じて前記所定間隔を変化させるように設定されている点に第６の特徴がある。
［００１３］
また、前記残量警告制御が、車両の走行に伴う燃料残量、燃料消費量、走行距離および経過時間等の変化に応じて振動の大きさを変化させるように設定されている点に第７の特徴がある。
［００１４］
また、前記残量警告制御が、前記エンジン（Ｅ）に燃料を供給するインジェクタ（１０）による燃料噴射量を変化させることで行われる点に第８の特徴がある。
［００１５］
また、前記燃料噴射量の変化が、１サイクル中に発生する噴射タイミングのうちの連続する所定回数の噴射を制限する噴射間引きにより実行され、前記連続する所定回数を、前記エンジン（Ｅ）の気筒数に応じて増やす点に第９の特徴がある。
【手続補正３】
【補正対象書類名】明細書
【補正対象項目名】０００３
【補正方法】変更
【補正の内容】
【０００３】
［００１６］
また、前記連続する所定回数が、前記エンジン（Ｅ）の気筒数（Ｘ）÷２の算出式で算出される値以上の回数とされる点に第１０の特徴がある。
［００１７］
また、前記残量警告制御が、前記エンジン（Ｅ）の点火装置（１１）の駆動態様を変化させることで行われる点に第１１の特徴がある。
［００１８］
また、前記残量警告制御が、前記エンジン（Ｅ）への吸気量制限により行われる点に第１２の特徴がある。
［００１９］
また、前記燃焼状態変更手段（２）が、前記エンジン（Ｅ）の燃焼状態を変化させることで車速制限制御をも行うように構成されており、前記残量警告制御によって生じる振動が、前記車速制限制御によって生じる振動と異なる点に第１３の特徴がある。
［００２０］
［００２１］
［００２２］
さらに、前記残量警告制御の実行履歴を前記エンジン（Ｅ）の停止後も維持するメモリ（４）を備え、前記エンジン（Ｅ）の再始動時に前記燃料残量の増加がない場合は、前記実行履歴に基づいて、前記エンジン（Ｅ）の停止時から前記残量警告制御を再開する点に第１６の特徴がある。
発明の効果
［００２３］
第１の特徴によれば、エンジン（Ｅ）の燃焼状態を変更する燃焼状態変更手段（２）を具備し、前記燃料残量が所定値未満になると、前記燃焼状態変更手段（２）によって前記エンジン（Ｅ）の燃焼状態を変化させることで通常運転時と異なる振動を生じさせる残量警告制御を行うので、エンジンの燃焼状態が変化することでエンジンおよび車体に通常運転時と異なる振動を生じさせ、燃料残量が低下していることを乗員に認識させることが可能となる。これにより、燃料残量の低下を警告するための専用の装置を追加することなく、車両の走行中であっても燃料残量の低下を効果的に警告することが可能となる。また、前記残量警告制御は、車両の速度が１０ｋｍ／ｈ未満の状態で、かつ前記エンジン（Ｅ）の回転数が２０００ｒｐｍ未満では行われないので、乗員が車両を押し歩いている間は残量警告を行わないように設定することが可能で、さらにアイドリング運転中のエンストを避けたり、また、乗員が燃料残量の低下状態を認識して低回転を維持して走行している間は残量警告を行わないように設定することができる。
［００２４］
第２の特徴によれば、乗員の操作に基づいて前記残量警告制御を所定時間の間停止する警告確認手段（５）を具備するので、乗員の意思により残量警告制御を一時停止できることから、燃料残量警告装置の使い勝手を向上させ
【手続補正４】
【補正対象書類名】明細書
【補正対象項目名】０００５
【補正方法】変更
【補正の内容】
【０００５】
り実行され、前記連続する所定回数を、前記エンジン（Ｅ）の気筒数に応じて増やすので、エンジンの気筒数に応じて有効な残量警告制御を行うことが可能となる。
［００３２］
第１０の特徴によれば、前記連続する所定回数が、前記エンジン（Ｅ）の気筒数（Ｘ）÷２の算出式で算出される値以上の回数とされるので、気筒数に応じた有効な振動発生効果を得ることができる。
［００３３］
第１１の特徴によれば、前記残量警告制御が、前記エンジン（Ｅ）の点火装置（１１）の駆動態様を変化させることで行われるので、電子制御される点火装置の駆動態様を変更する（例えば、点火タイミング、点火カット、遅延制御）ことで残量警告制御を行うことから、振動の大きさ等を細かく設定することが可能となる。
［００３４］
第１２の特徴によれば、前記残量警告制御が、前記エンジン（Ｅ）への吸気量制限により行われるので、電子制御される点火装置の駆動態様を変更することで残量警告制御を行うことから、振動の大きさ等を細かく設定することが可能となる。
［００３５］
第１３の特徴によれば、前記燃焼状態変更手段（２）が、前記エンジン（Ｅ）の燃焼状態を変化させることで車速制限制御をも行うように構成されており、前記残量警告制御によって生じる振動が、前記車速制限制御によって生じる振動と異なるので、残量警告制御と車速制限制御との差異を明確にし、例えば、車速制限制御の振動によって燃料残量が所定値未満となったという誤解が生じることを防ぐことができる。
［００３６］
［００３７］
【手続補正書】
【提出日】平成29年3月27日(2017.3.27)
【手続補正２】
【補正対象書類名】特許請求の範囲
【補正対象項目名】全文
【補正方法】変更
【補正の内容】
【特許請求の範囲】
【請求項１】
燃料タンク（１３）の燃料残量を計測する燃料計（６）の出力に基づいて、燃料残量が所定値未満になったことを警告する自動二輪車の燃料残量警告装置において、
エンジン（Ｅ）の燃焼状態を変更する燃焼状態変更手段（２）を具備し、
前記燃料残量が所定値未満になると、前記燃焼状態変更手段（２）によって前記エンジン（Ｅ）の燃焼状態を変化させることで通常運転時と異なる振動を生じさせる残量警告制御を行い、
乗員の操作に基づいて前記残量警告制御を所定時間の間停止する警告確認手段（５）を具備し、
前記警告確認手段（５）は、車両に設けられた他の機器を操作する操作スイッチを兼用させ、
前記操作スイッチは、前記エンジン（Ｅ）を始動させるスタータスイッチであることを特徴とする自動二輪車の燃料残量警告装置。
【請求項２】
燃料タンク（１３）の燃料残量を計測する燃料計（６）の出力に基づいて、燃料残量が所定値未満になったことを警告する自動二輪車の燃料残量警告装置において、
エンジン（Ｅ）の燃焼状態を変更する燃焼状態変更手段（２）を具備し、
前記燃料残量が所定値未満になると、前記燃焼状態変更手段（２）によって前記エンジン（Ｅ）の燃焼状態を変化させることで通常運転時と異なる振動を生じさせる残量警告制御を行い、
乗員の操作に基づいて前記残量警告制御を所定時間の間停止する警告確認手段（５）を具備し、
前記警告確認手段（５）は、車両に設けられた他の機器を操作する操作スイッチを兼用させ、
前記操作スイッチは、ウインカの作動を停止するキャンセルスイッチであることを特徴とする自動二輪車の燃料残量警告装置。
【請求項３】
前記残量警告制御は、所定間隔毎に周期的に行われることを特徴とする請求項１または２に記載の自動二輪車の燃料残量警告装置。
【請求項４】
前記残量警告制御が、車両の走行に伴う燃料残量、燃料消費量、走行距離および経過時間等の変化に応じて前記所定間隔を変化させるように設定されていることを特徴とする請求項３に記載の自動二輪車の燃料残量警告装置。
【請求項５】
前記残量警告制御が、車両の走行に伴う燃料残量、燃料消費量、走行距離および経過時間等の変化に応じて振動の大きさを変化させるように設定されていることを特徴とする請求項３に記載の自動二輪車の燃料残量警告装置。
【請求項６】
前記残量警告制御が、前記エンジン（Ｅ）に燃料を供給するインジェクタ（１０）による燃料噴射量を変化させることで行われることを特徴とする請求項１ないし５のいずれかに記載の自動二輪車の燃料残量警告装置。
【請求項７】
前記燃料噴射量の変化が、１サイクル中に発生する噴射タイミングのうちの連続する所定回数の噴射を制限する噴射間引きにより実行され、
前記連続する所定回数を、前記エンジン（Ｅ）の気筒数に応じて増やすことを特徴とする請求項６に記載の自動二輪車の燃料残量警告装置。
【請求項８】
前記連続する所定回数が、前記エンジン（Ｅ）の気筒数（Ｘ）÷２の算出式で算出される値以上の回数とされることを特徴とする請求項７に記載の自動二輪車の燃料残量警告装置。
【請求項９】
前記残量警告制御が、前記エンジン（Ｅ）の点火装置（１１）の駆動態様を変化させることで行われることを特徴とする請求項１ないし５のいずれかに記載の自動二輪車の燃料残量警告装置。
【請求項１０】
前記残量警告制御が、前記エンジン（Ｅ）への吸気量制限により行われることを特徴とする請求項１ないし５のいずれかに記載の自動二輪車の燃料残量警告装置。
【請求項１１】
前記燃焼状態変更手段（２）が、前記エンジン（Ｅ）の燃焼状態を変化させることで車速制限制御をも行うように構成されており、
前記残量警告制御によって生じる振動が、前記車速制限制御によって生じる振動と異なることを特徴とする請求項１ないし１０のいずれかに記載の自動二輪車の燃料残量警告装置。
【請求項１２】
前記残量警告制御は、前記エンジン（Ｅ）の回転数が所定値未満の状態では行われないことを特徴とする請求項１ないし１１のいずれかに記載の自動二輪車の燃料残量警告装置。
【請求項１３】
前記残量警告制御は、車両の速度が所定値未満の状態では行われないことを特徴とする請求項１ないし１２のいずれかに記載の自動二輪車の燃料残量警告装置。
【請求項１４】
前記残量警告制御の実行履歴を前記エンジン（Ｅ）の停止後も維持するメモリ（４）を備え、
前記エンジン（Ｅ）の再始動時に前記燃料残量の増加がない場合は、前記実行履歴に基づいて、前記エンジン（Ｅ）の停止時から前記残量警告制御を再開することを特徴とする請求項１ないし１３のいずれかに記載の自動二輪車の燃料残量警告装置。
【手続補正３】
【補正対象書類名】明細書
【補正対象項目名】０００７
【補正方法】変更
【補正の内容】
【０００７】
前記目的を達成するために、本発明は、燃料タンク（１３）の燃料残量を計測する燃料計（６）の出力に基づいて、燃料残量が所定値未満になったことを警告する自動二輪車の燃料残量警告装置において、エンジン（Ｅ）の燃焼状態を変更する燃焼状態変更手段（２）を具備し、前記燃料残量が所定値未満になると、前記燃焼状態変更手段（２）によって前記エンジン（Ｅ）の燃焼状態を変化させることで通常運転時と異なる振動を生じさせる残量警告制御を行い、乗員の操作に基づいて前記残量警告制御を所定時間の間停止する警告確認手段（５）を具備し、前記警告確認手段（５）は、車両に設けられた他の機器を操作する操作スイッチを兼用させ、前記操作スイッチは、前記エンジン（Ｅ）を始動させるスタータスイッチである点に第１の特徴がある。
【手続補正４】
【補正対象書類名】明細書
【補正対象項目名】０００８
【補正方法】変更
【補正の内容】
【０００８】
また、燃料タンク（１３）の燃料残量を計測する燃料計（６）の出力に基づいて、燃料残量が所定値未満になったことを警告する自動二輪車の燃料残量警告装置において、エンジン（Ｅ）の燃焼状態を変更する燃焼状態変更手段（２）を具備し、前記燃料残量が所定値未満になると、前記燃焼状態変更手段（２）によって前記エンジン（Ｅ）の燃焼状態を変化させることで通常運転時と異なる振動を生じさせる残量警告制御を行い、乗員の操作に基づいて前記残量警告制御を所定時間の間停止する警告確認手段（５）を具備し、前記警告確認手段（５）は、車両に設けられた他の機器を操作する操作スイッチを兼用させ、前記操作スイッチは、ウインカの作動を停止するキャンセルスイッチである点に第２の特徴がある。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、前記残量警告制御は、所定間隔毎に周期的に行われる点に第３の特徴がある。
【手続補正８】
【補正対象書類名】明細書
【補正対象項目名】００１２
【補正方法】変更
【補正の内容】
【００１２】
また、前記残量警告制御が、車両の走行に伴う燃料残量、燃料消費量、走行距離および経過時間等の変化に応じて前記所定間隔を変化させるように設定されている点に第４の特徴がある。
【手続補正９】
【補正対象書類名】明細書
【補正対象項目名】００１３
【補正方法】変更
【補正の内容】
【００１３】
また、前記残量警告制御が、車両の走行に伴う燃料残量、燃料消費量、走行距離および経過時間等の変化に応じて振動の大きさを変化させるように設定されている点に第５の特徴がある。
【手続補正１０】
【補正対象書類名】明細書
【補正対象項目名】００１４
【補正方法】変更
【補正の内容】
【００１４】
また、前記残量警告制御が、前記エンジン（Ｅ）に燃料を供給するインジェクタ（１０）による燃料噴射量を変化させることで行われる点に第６の特徴がある。
【手続補正１１】
【補正対象書類名】明細書
【補正対象項目名】００１５
【補正方法】変更
【補正の内容】
【００１５】
また、前記燃料噴射量の変化が、１サイクル中に発生する噴射タイミングのうちの連続する所定回数の噴射を制限する噴射間引きにより実行され、前記連続する所定回数を、前記エンジン（Ｅ）の気筒数に応じて増やす点に第７の特徴がある。
【手続補正１２】
【補正対象書類名】明細書
【補正対象項目名】００１６
【補正方法】変更
【補正の内容】
【００１６】
また、前記連続する所定回数が、前記エンジン（Ｅ）の気筒数（Ｘ）÷２の算出式で算出される値以上の回数とされる点に第８の特徴がある。
【手続補正１３】
【補正対象書類名】明細書
【補正対象項目名】００１７
【補正方法】変更
【補正の内容】
【００１７】
また、前記残量警告制御が、前記エンジン（Ｅ）の点火装置（１１）の駆動態様を変化させることで行われる点に第９の特徴がある。
【手続補正１４】
【補正対象書類名】明細書
【補正対象項目名】００１８
【補正方法】変更
【補正の内容】
【００１８】
また、前記残量警告制御が、前記エンジン（Ｅ）への吸気量制限により行われる点に第１０の特徴がある。
【手続補正１５】
【補正対象書類名】明細書
【補正対象項目名】００１９
【補正方法】変更
【補正の内容】
【００１９】
また、前記燃焼状態変更手段（２）が、前記エンジン（Ｅ）の燃焼状態を変化させることで車速制限制御をも行うように構成されており、前記残量警告制御によって生じる振動が、前記車速制限制御によって生じる振動と異なる点に第１１の特徴がある。
【手続補正１６】
【補正対象書類名】明細書
【補正対象項目名】００２０
【補正方法】変更
【補正の内容】
【００２０】
また、前記残量警告制御は、前記エンジン（Ｅ）の回転数が所定値未満の状態では行われない点に第１２の特徴がある。
【手続補正１７】
【補正対象書類名】明細書
【補正対象項目名】００２１
【補正方法】変更
【補正の内容】
【００２１】
また、前記残量警告制御は、車両の速度が所定値未満の状態では行われない点に第１３の特徴がある。
【手続補正１８】
【補正対象書類名】明細書
【補正対象項目名】００２２
【補正方法】変更
【補正の内容】
【００２２】
さらに、前記残量警告制御の実行履歴を前記エンジン（Ｅ）の停止後も維持するメモリ（４）を備え、前記エンジン（Ｅ）の再始動時に前記燃料残量の増加がない場合は、前記実行履歴に基づいて、前記エンジン（Ｅ）の停止時から前記残量警告制御を再開する点に第１４の特徴がある。
【手続補正１９】
【補正対象書類名】明細書
【補正対象項目名】００２３
【補正方法】変更
【補正の内容】
【００２３】
第１の特徴によれば、燃料タンク（１３）の燃料残量を計測する燃料計（６）の出力に基づいて、燃料残量が所定値未満になったことを警告する自動二輪車の燃料残量警告装置において、エンジン（Ｅ）の燃焼状態を変更する燃焼状態変更手段（２）を具備し、前記燃料残量が所定値未満になると、前記燃焼状態変更手段（２）によって前記エンジン（Ｅ）の燃焼状態を変化させることで通常運転時と異なる振動を生じさせる残量警告制御を行い、乗員の操作に基づいて前記残量警告制御を所定時間の間停止する警告確認手段（５）を具備し、前記警告確認手段（５）は、車両に設けられた他の機器を操作する操作スイッチを兼用させ、前記操作スイッチは、前記エンジン（Ｅ）を始動させるスタータスイッチであるので、エンジンの燃焼状態が変化することでエンジンおよび車体に通常運転時と異なる振動を生じさせ、燃料残量が低下していることを乗員に認識させることが可能となる。これにより、燃料残量の低下を警告するための専用の装置を追加することなく、車両の走行中であっても燃料残量の低下を効果的に警告することが可能となる。また、乗員の意思により残量警告制御を一時停止できることから、燃料残量警告装置の使い勝手を向上させることができる。また、警告確認手段のために新たな部品を追加する必要がなく、部品点数の削減を図ることができる。さらに、エンジンの始動後、走行中に使用することのないスタータスイッチを有効利用して警告確認手段を構成し、部品点数およびコストの削減を図ることができる。
【手続補正２０】
【補正対象書類名】明細書
【補正対象項目名】００２４
【補正方法】変更
【補正の内容】
【００２４】
第２の特徴によれば、燃料タンク（１３）の燃料残量を計測する燃料計（６）の出力に基づいて、燃料残量が所定値未満になったことを警告する自動二輪車の燃料残量警告装置において、エンジン（Ｅ）の燃焼状態を変更する燃焼状態変更手段（２）を具備し、前記燃料残量が所定値未満になると、前記燃焼状態変更手段（２）によって前記エンジン（Ｅ）の燃焼状態を変化させることで通常運転時と異なる振動を生じさせる残量警告制御を行い、乗員の操作に基づいて前記残量警告制御を所定時間の間停止する警告確認手段（５）を具備し、前記警告確認手段（５）は、車両に設けられた他の機器を操作する操作スイッチを兼用させ、前記操作スイッチは、ウインカの作動を停止するキャンセルスイッチであるので、ウインカの非作動中に使用することのないキャンセルスイッチを有効利用して警告確認手段を構成し、部品点数およびコストの削減を図ることができる。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
第３の特徴によれば、前記残量警告制御は、所定間隔毎に周期的に行われるので、残量警告制御により生じている振動が、機械的な不具合等ではなく、燃料残量の低下に起因した意図的な制御により生じていることを乗員に認識させることが可能となる。
【手続補正２４】
【補正対象書類名】明細書
【補正対象項目名】００２８
【補正方法】変更
【補正の内容】
【００２８】
第４の特徴によれば、前記残量警告制御が、車両の走行に伴う燃料残量、燃料消費量、走行距離および経過時間等の変化に応じて前記所定間隔を変化させるように設定されているので、例えば、残量警告を開始してからの燃料使用量に応じて所定間隔が短くなるように設定することで、乗員に給油を促す効果が高められる。
【手続補正２５】
【補正対象書類名】明細書
【補正対象項目名】００２９
【補正方法】変更
【補正の内容】
【００２９】
第５の特徴によれば、前記残量警告制御が、車両の走行に伴う燃料残量、燃料消費量、走行距離および経過時間等の変化に応じて振動の大きさを変化させるので、例えば、残量警告を開始してからの燃料使用量に応じて振動が大きくなるように設定することで、乗員に給油を促す効果が高められる。
【手続補正２６】
【補正対象書類名】明細書
【補正対象項目名】００３０
【補正方法】変更
【補正の内容】
【００３０】
第６の特徴によれば、前記残量警告制御が、前記エンジン（Ｅ）に燃料を供給するインジェクタ（１０）による燃料噴射量を変化させることで行われるので、電子制御される燃料噴射の駆動態様を変更する（例えば、噴射量低減、噴射間引き、噴射タイミング遅延）ことで残量警告制御を行うことから、振動の大きさ等を細かく設定することが可能となる。
【手続補正２７】
【補正対象書類名】明細書
【補正対象項目名】００３１
【補正方法】変更
【補正の内容】
【００３１】
第７の特徴によれば、前記燃料噴射量の変化が、１サイクル中に発生する噴射タイミングのうちの連続する所定回数の噴射を制限する噴射間引きにより実行され、前記連続する所定回数を、前記エンジン（Ｅ）の気筒数に応じて増やすので、エンジンの気筒数に応じて有効な残量警告制御を行うことが可能となる。
【手続補正２８】
【補正対象書類名】明細書
【補正対象項目名】００３２
【補正方法】変更
【補正の内容】
【００３２】
第８の特徴によれば、前記連続する所定回数が、前記エンジン（Ｅ）の気筒数（Ｘ）÷２の算出式で算出される値以上の回数とされるので、気筒数に応じた有効な振動発生効果を得ることができる。
【手続補正２９】
【補正対象書類名】明細書
【補正対象項目名】００３３
【補正方法】変更
【補正の内容】
【００３３】
第９の特徴によれば、前記残量警告制御が、前記エンジン（Ｅ）の点火装置（１１）の駆動態様を変化させることで行われるので、電子制御される点火装置の駆動態様を変更する（例えば、点火タイミング、点火カット、遅延制御）ことで残量警告制御を行うことから、振動の大きさ等を細かく設定することが可能となる。
【手続補正３０】
【補正対象書類名】明細書
【補正対象項目名】００３４
【補正方法】変更
【補正の内容】
【００３４】
第１０の特徴によれば、前記残量警告制御が、前記エンジン（Ｅ）への吸気量制限により行われるので、電子制御される点火装置の駆動態様を変更することで残量警告制御を行うことから、振動の大きさ等を細かく設定することが可能となる。
【手続補正３１】
【補正対象書類名】明細書
【補正対象項目名】００３５
【補正方法】変更
【補正の内容】
【００３５】
第１１の特徴によれば、前記燃焼状態変更手段（２）が、前記エンジン（Ｅ）の燃焼状態を変化させることで車速制限制御をも行うように構成されており、前記残量警告制御によって生じる振動が、前記車速制限制御によって生じる振動と異なるので、残量警告制御と車速制限制御との差異を明確にし、例えば、車速制限制御の振動によって燃料残量が所定値未満となったという誤解が生じることを防ぐことができる。
【手続補正３２】
【補正対象書類名】明細書
【補正対象項目名】００３６
【補正方法】変更
【補正の内容】
【００３６】
第１２の特徴によれば、前記残量警告制御は、前記エンジン（Ｅ）の回転数が所定値未満の状態では行われないので、アイドリング運転中のエンストを避けたり、また、乗員が燃料残量の低下状態を認識して低回転を維持して走行している間は残量警告を行わないように設定することができる。
【手続補正３３】
【補正対象書類名】明細書
【補正対象項目名】００３７
【補正方法】変更
【補正の内容】
【００３７】
第１３の特徴によれば、前記残量警告制御は、車両の速度が所定値未満の状態では行われないので、例えば、車両が停止していたり、乗員が車両を押し歩いている間は残量警告を行わないように設定することができる。
【手続補正３４】
【補正対象書類名】明細書
【補正対象項目名】００３８
【補正方法】変更
【補正の内容】
【００３８】
第１４の特徴によれば、前記残量警告制御の実行履歴を前記エンジン（Ｅ）の停止後も維持するメモリ（４）を備え、前記エンジン（Ｅ）の再始動時に前記燃料残量の増加がない場合は、前記実行履歴に基づいて、前記エンジン（Ｅ）の停止時から前記残量警告制御を再開するので、例えば、残量警告制御を開始してからの経過時間に応じて振動発生周期が短くなる変更パターンを用いて残量警告制御を行っていた場合に、前回のエンジン停止までに短くなっていた振動発生周期を引き続き適用して残量警告制御を再開することが可能となる。これにより、給油の必要性をより効果的に乗員に警告することができる。
【国際調査報告】
2016047463.tif 000014
2016047463.tif 000015
2016047463.tif 000016
2016047463.tif 000017